(57)【要約】【課題】第１紐および第２紐が角底袋内への物品の出し入れの障害となることを防止できる、紐とじ紙バッグを提供する。【解決手段】第１紐３は、角底袋２の開口１６側の端縁を跨ぐことなく、その一端側が角底袋２の外側から第１挿通孔３１、第１中間孔５１、第２中間孔５２、第１挿通孔４１および第１係止孔４３にこの順に挿通され、他端側が角底袋２の外側から第２挿通孔３２、第１中間孔６１、第２中間孔６２、第２挿通孔４２および第２係止孔４４にこの順に挿通されている。第２紐４は、角底袋２の開口１６側の端縁を跨ぐことなく、その一端側が角底袋２の外側から第１挿通孔４１、第２中間孔５２、第１中間孔５１、第１挿通孔３１および第１係止孔３３にこの順に挿通され、他端側が角底袋２の外側から第２挿通孔４２、第２中間孔６２、第１中間孔６１、第２挿通孔３２および第２係止孔３４にこの順に挿通されている。【選択図】図１
2015204954.tif 000002
【特許請求の範囲】
【請求項１】
角底袋と、
前記角底袋に取り付けられた第１紐および第２紐とを含み、
前記角底袋は、互いに対向する正面部および背面部と、前記正面部および前記背面部の幅方向の各一側縁間を連結する第１マチ部と、前記正面部および前記背面部の幅方向の各他側縁間を連結する第２マチ部と、前記正面部、前記背面部、前記第１マチ部および前記第２マチ部により形成される筒状体の一端を閉塞する底部とを有し、
当該筒状体の他端は、前記角底袋内に物品を出し入れするための開口をなしており、
前記正面部および前記背面部には、前記開口側の端部に、第１挿通孔および第２挿通孔が前記幅方向に間隔を空けて穿設されるとともに、前記第１挿通孔および前記第２挿通孔と間隔を空けて、それぞれ第１係止孔および第２係止孔が穿設されており、
前記第１マチ部および前記第２マチ部の各々には、前記開口側の端縁の中央から前記底部に向けて延び、途中で２つに分岐して、各分岐した部分が前記底部の角に向けて延びる逆Ｙ字状をなし、前記角底袋を前記正面部および前記背面部が重なるように折り畳むための折り目がつけられ、かつ、前記開口側の端部に、第１中間孔および第２中間孔が前記正面部側からこの順に穿設されており、
前記第１紐は、一端側が前記角底袋の外側から前記正面部の前記第１挿通孔、前記第１マチ部の前記第１中間孔および前記第２中間孔、ならびに前記背面部の前記第１挿通孔および前記第１係止孔にこの順に挿通され、他端側が前記角底袋の外側から前記正面部の前記第２挿通孔、前記第２マチ部の前記第１中間孔および前記第２中間孔、ならびに前記背面部の前記第２挿通孔および前記第２係止孔にこの順に挿通されて、一端部および他端部にそれぞれ前記背面部の前記第１係止孔および前記第２係止孔からの抜け止め形状を有しており、
前記第２紐は、一端側が前記角底袋の外側から前記背面部の前記第１挿通孔、前記第１マチ部の前記第２中間孔および前記第１中間孔、ならびに前記正面部の前記第１挿通孔および前記第１係止孔にこの順に挿通され、他端側が前記角底袋の外側から前記背面部の前記第２挿通孔、前記第２マチ部の前記第２中間孔および前記第１中間孔、ならびに前記正面部の前記第２挿通孔および前記第２係止孔にこの順に挿通されて、一端部および他端部にそれぞれ前記正面部の前記第１係止孔および前記第２係止孔からの抜け止め形状を有している、紐とじ紙バッグ。
【請求項２】
前記第１中間孔および前記第２中間孔は、前記折り目を挟んで、それぞれ前記正面部側および前記背面部側に穿設されている、請求項１に記載の紐とじ紙バッグ。
【請求項３】
前記第１マチ部の前記第１中間孔および前記第２中間孔は、前記角底袋が前記折り目に沿って折り畳まれたときに、互いに重なり合い、かつ、前記正面部の前記第１挿通孔および前記背面部の前記第１挿通孔と重なり、
前記第２マチ部の前記第１中間孔および前記第２中間孔は、前記角底袋が前記折り目に沿って折り畳まれたときに、互いに重なり合い、かつ、前記正面部の前記第２挿通孔および前記背面部の前記第２挿通孔と重なる、請求項２に記載の紐とじ紙バッグ。
【請求項４】
前記第１挿通孔は、前記第１係止孔よりも大きな径を有し、
前記第１マチ部の前記第１中間孔および前記第２中間孔は、前記第１挿通孔よりも大きな径を有し、
前記第２挿通孔は、前記第２係止孔よりも大きな径を有し、
前記第２マチ部の前記第１中間孔および前記第２中間孔は、前記第２挿通孔よりも大きな径を有している、請求項１〜３のいずれか一項に記載の紐とじ紙バッグ。
【発明の詳細な説明】
【技術分野】
【０００１】
本発明は、把手（取っ手）や肩紐（ショルダストラップ）となる紐で開口を閉じることができる紐とじ紙バッグに関する。
【背景技術】
【０００２】
従来、買い物袋などとして、手提げ式または肩掛け式の紙バッグが広く使用されている。
【０００３】
この種の紙バッグは、１枚の原紙から作製される角底袋と、角底袋に取り付けられた２本の紐とを備えている。角底袋は、互いに対向する正面部および背面部と、正面部と背面部との両側縁間をそれぞれ連結するマチ（襠）部と、正面部、背面部およびマチ部により形成される筒状体の一端を閉塞する底部とを有し、当該筒状体の他端は、角底袋内に物品を出し入れするための開口をなしている。正面部および背面部の開口側の端部の各々には、２個の孔が幅方向に間隔を空けて穿設されている。２個の孔には、１本の紐の両端部が角底袋の外側から通されている。そして、各紐の両端部に孔からの抜け止めとなる結び目が作られることにより、各紐が角底袋に取り付けられている。
【０００４】
紐の長さにより、手提げ式または肩掛け式の紙バッグとなる。すなわち、紐の長さが短い場合、２本の紐が把手となり、２本の紐を手で掴んで、紙バッグを手提げで持ち運ぶことができる。紐の長さが長い場合、２本の紐が肩紐となり、２本の紐を肩に掛けて、紙バッグを肩掛けで持ち運ぶことができる。
【０００５】
ところが、手提げ式または肩掛け式のいずれであっても、紙バッグを持ち運ぶ際に、角底袋の開口が開いてしまう。そのため、周囲の人から紙バッグ（角底袋）内の物品が丸見えになる。また、開口から紙バッグ内に手が入れられて、紙バッグ内の物品が盗難されるおそれもある。さらに、マチ部の幅よりも幅広な物品が紙バッグに入れられていると、紙バッグが床上などに置かれたときに、開口が広がって、紙バッグが倒れることがある。これらの不具合を防止するため、正面部と背面部とをテープで留める、または、２本の紐をテープで留めるという対策がなされることがあるが、テープが剥がれたり、破れたりすると意味がなくなってしまう。
【０００６】
そこで、本願発明者は、紐で開口を閉じることができる紐とじ紙バッグを先に提案している。この提案にかかる紐とじ紙バッグでは、図７に示されるように、正面部９１および背面部９２の開口９３側の端部の各々には、２個の内側孔９４，９５が幅方向に間隔を空けて穿設されるとともに、各内側孔９４，９５に対して幅方向の外側に間隔を空けて、係止孔９６，９７が穿設されている。
【０００７】
１本の紐（第１紐）９８の一端部を正面部９１の係止孔９６に外側から通し、その一端部に係止孔９６からの抜け止めとなる結び目９９を作ることにより、紐９８の一端部が角底袋１００に取り付けられている。そして、紐９８の他端部を当該係止孔９６と隣り合う内側孔９４に外側から、背面部９２の内側孔９４に内側から、背面部９２の内側孔９５に外側から、正面部９１の内側孔９５に内側から、その内側孔９５と隣り合う係止孔９７に外側からこの順にそれぞれ通した後、その一端部に係止孔９７からの抜け止めとなる結び目１０１を作ることにより、紐９８の他端部が角底袋１００に取り付けられている。
【０００８】
また、別の１本の紐（第２紐）１０２の一端部を背面部９２の係止孔９６に外側から通し、その一端部に係止孔９６からの抜け止めとなる結び目１０３を作ることにより、紐１０２の一端部が角底袋１００に取り付けられている。そして、紐９８の他端部を当該係止孔９６と隣り合う内側孔９４に外側から、正面部９１の内側孔９４に内側から、正面部９１の内側孔９５に外側から、背面部９２の内側孔９５に内側から、その内側孔９５と隣り合う係止孔９７に外側からこの順にそれぞれ通した後、その一端部に係止孔９７からの抜け止めとなる結び目１０４を作ることにより、紐１０２の他端部が角底袋１００に取り付けられている。
【０００９】
紐とじ紙バッグの使用時には、角底袋１００の開口９３が開かれて、開口９３を介して角底袋１００内に物品が入れられる。その後、各紐９８，１０２における内側孔９４，９５間を延びる部分が外側に引き出されると、紐９８により、正面部９１における内側孔９４と係止孔９６との間の部分および内側孔９５と係止孔９７との間の部分が背面部９２側に引き寄せられるとともに、紐１０２により、背面部９２における内側孔９４と係止孔９６との間の部分および内側孔９５と係止孔９７との間の部分が背面部９２側に引き寄せられる。その結果、正面部９１の開口９３側の端縁と背面部９２の開口９３側の端縁とが近接し、開口９３が閉じられる。これにより、テープを用いることなく、開口９３を閉じることができる。
【先行技術文献】
【特許文献】
【００１０】
【特許文献１】実用新案登録第３１３３３５３号公報
【発明の概要】
【発明が解決しようとする課題】
【００１１】
しかしながら、開口９３が開かれた状態において、２個の内側孔９４間および２個の内側孔９５間を紐９８，１０２が延びるため、その紐９８，１０２が角底袋１００内への物品の出し入れの障害となるおそれがある。
【００１２】
本発明の目的は、第１紐および第２紐が角底袋内への物品の出し入れの障害となることを防止できる、紐とじ紙バッグを提供することである。
【課題を解決するための手段】
【００１３】
前記の目的を達成するため、本発明の一の局面に係る紐とじ紙バッグは、角底袋と、角底袋に取り付けられた第１紐および第２紐とを含み、角底袋は、互いに対向する正面部および背面部と、正面部および背面部の幅方向の各一側縁間を連結する第１マチ部と、正面部および背面部の幅方向の各他側縁間を連結する第２マチ部と、正面部と背面部との幅方向の一側縁間および他側縁間をそれぞれ連結する第１マチ部および第２マチ部と、正面部、背面部、第１マチ部および第２マチ部により形成される筒状体の一端を閉塞する底部とを有し、当該筒状体の他端は、角底袋内に物品を出し入れするための開口をなしており、正面部および背面部には、開口側の端部に、第１挿通孔および第２挿通孔が幅方向に間隔を空けて穿設されるとともに、第１挿通孔および第２挿通孔と間隔を空けて、それぞれ第１係止孔および第２係止孔が穿設されており、第１マチ部および第２マチ部の各々には、開口側の端縁の中央から底部に向けて延び、途中で２つに分岐して、各分岐した部分が底部の角に向けて延びる逆Ｙ字状をなし、角底袋を正面部および背面部が重なるように折り畳むための折り目がつけられ、かつ、開口側の端部に、第１中間孔および第２中間孔が正面部側からこの順に穿設されており、第１紐は、（角底袋の開口側の端縁を跨ぐことなく、）一端側が角底袋の外側から正面部の第１挿通孔、第１マチ部の第１中間孔および第２中間孔、ならびに背面部の第１挿通孔および第１係止孔にこの順に挿通され、他端側が角底袋の外側から正面部の第２挿通孔、第２マチ部の第１中間孔および第２中間孔、ならびに背面部の第２挿通孔および第２係止孔にこの順に挿通されて、一端部および他端部にそれぞれ背面部の第１係止孔および第２係止孔からの抜け止め形状を有しており、第２紐は、（角底袋の開口側の端縁を跨ぐことなく、）一端側が角底袋の外側から背面部の第１挿通孔、第１マチ部の第２中間孔および第１中間孔、ならびに正面部の第１挿通孔および第１係止孔にこの順に挿通され、他端側が角底袋の外側から背面部の第２挿通孔、第２マチ部の第２中間孔および第１中間孔、ならびに正面部の第２挿通孔および第２係止孔にこの順に挿通されて、一端部および他端部にそれぞれ正面部の第１係止孔および第２係止孔からの抜け止め形状を有している。
【００１４】
この構成によれば、第１紐における正面部の第１挿通孔と第２挿通孔との間に跨がる部分が外側に引き出されると、第１紐により、背面部の第１挿通孔と第１係止孔との間の部分および第２挿通孔と第２係止孔との間の部分が正面部側に引き寄せられる。また、第２紐における背面部の第１挿通孔と第２挿通孔との間に跨がる部分が外側に引き出されると、第２紐により、正面部の第１挿通孔と第１係止孔との間の部分および第２挿通孔と第２係止孔との間の部分が背面部側に引き寄せられる。その結果、正面部の開口側の端縁と背面部の開口側の端縁とが近接しつつ、第１マチ部および第２マチ部の開口側の端部が折り目に沿って折れ、開口が閉じられる。これにより、テープを用いることなく、開口を閉じることができる。
【００１５】
一方、開口が開かれる際には、正面部および背面部の各開口側の端部が外側に移動される。この正面部および背面部の移動に伴って、正面部と背面部との間で折り重なっていた第１マチ部および第２マチ部が開き、第１マチ部および第２マチ部における折り目の部分が外側に移動する。第１マチ部および第２マチ部には、第１中間孔および第２中間孔が形成され、その第１中間孔および第２中間孔には、第１紐および第２紐が通されているので、第１マチ部および第２マチ部における折り目の部分が外側に移動すると、その移動に伴って、第１紐および第２紐の各々における第１中間孔と第２中間孔との間に跨がる部分が外側に移動する。その結果、第１紐および第２紐は、正面部、背面部、第１マチ部および第２マチ部により形成される筒状体の周にほぼ沿った状態となる。よって、第１紐および第２紐が角底袋内への物品の出し入れの障害となることを防止できる。
【００１６】
第１中間孔および第２中間孔は、折り目を挟んで、それぞれ正面部側および背面部側に穿設されていることが好ましい。
【００１７】
これにより、開口が開かれる際に、第１紐および第２紐の各々における第１中間孔と第２中間孔との間に跨がる部分を外側へ良好に移動させることができる。
【００１８】
第１マチ部の第１中間孔および第２中間孔は、角底袋が折り目に沿って折り畳まれたときに、互いに重なり合い、かつ、正面部の第１挿通孔および背面部の第１挿通孔と重なり、第２マチ部の第１中間孔および第２中間孔は、角底袋が折り目に沿って折り畳まれたときに、互いに重なり合い、かつ、正面部の第２挿通孔および背面部の第２挿通孔と重なることが好ましい。
【００１９】
これにより、角底袋が折り目に沿って折り畳まれた状態で、第１紐の一端側を角底袋の外側から正面部の第１挿通孔、第１マチ部の第１中間孔および第２中間孔、ならびに背面部の第１挿通孔にこの順に挿通させることができ、他端側を角底袋の外側から正面部の第２挿通孔、第２マチ部の第１中間孔および第２中間孔、ならびに背面部の第２挿通孔にこの順に挿通させることができる。また、第２紐の一端側を角底袋の外側から背面部の第１挿通孔、第１マチ部の第２中間孔および第１中間孔、ならびに正面部の第１挿通孔にこの順に挿通させることができ、他端側を角底袋の外側から背面部の第２挿通孔、第２マチ部の第２中間孔および第１中間孔、ならびに正面部の第２挿通孔にこの順に挿通させることができる。よって、紐とじ紙バッグの製作に要する手間を軽減することができる。
【００２０】
第１挿通孔は、第１係止孔よりも大きな径を有し、第１マチ部の第１中間孔および第２中間孔は、第１挿通孔よりも大きな径を有し、第２挿通孔は、第２係止孔よりも大きな径を有し、第２マチ部の第１中間孔および第２中間孔は、第２挿通孔よりも大きな径を有していることがより好ましい。
【００２１】
これにより、開口が閉じられる際に、第１中間孔および第２中間孔の各周縁が第１紐および第２紐に摺擦することを抑制でき、その摺擦が第１マチ部および第２マチ部と第１紐および第２紐との相対的な移動の抵抗となることを抑制できる。その結果、開口をスムーズに開閉することができる。
【発明の効果】
【００２２】
本発明によれば、テープを用いることなく、第１紐および第２紐により、開口を閉じることができる。また、開口が開かれた状態では、第１紐および第２紐は、正面部、背面部、第１マチ部および第２マチ部により形成される筒状体の周にほぼ沿った状態となる。よって、第１紐および第２紐が角底袋内への物品の出し入れの障害となることを防止できる。
【図面の簡単な説明】
【００２３】
【図１】本発明の一実施形態に係る紐とじ紙バッグの斜視図であり、開口が開かれた状態を示す。
【図２】紐とじ紙バッグの斜視図であり、開口が閉じられた状態を示す。
【図３】角底袋の開口側の端部を示す斜視図である。
【図４】紐とじ紙バッグの開口側の端部を示す正面図である。
【図５】紐とじ紙バッグの使用状態の一例を示す図である。
【図６】紐とじ紙バッグの使用状態の他の例を示す図である。
【図７】従来の紐とじ紙バッグの斜視図である。
【発明を実施するための形態】
【００２４】
以下では、本発明の実施の形態について、添付図面を参照しつつ詳細に説明する。
【００２５】
図１および図２は、本発明の一実施形態に係る紐とじ紙バッグ１の斜視図である。
【００２６】
紐とじ紙バッグ１は、角底袋２と、角底袋２に取り付けられた第１紐３および第２紐４とを備えている。
【００２７】
角底袋２は、１枚の原紙から作製される。角底袋２は、正面部１１、背面部１２、第１マチ部１３、第２マチ部１４および底部１５を一体的に有している。
【００２８】
正面部１１および背面部１２は、同一の四角形状をなし、互いに間隔を空けて対向している。第１マチ部１３および第２マチ部１４は、高さ方向に長い同一の矩形状をなしている。正面部１１側から見て、第１マチ部１３は、正面部１１および背面部１２の各左端縁に接続され、第２マチ部１４は、正面部１１および背面部１２の各右端縁に接続されている。これにより、正面部１１、背面部１２、第１マチ部１３および第２マチ部１４は、四角筒状体を形成している。底部１５は、その四角筒状体の一端を閉塞している。四角筒状体の他端は、角底袋２内に物品を出し入れするための開口１６をなしている。
【００２９】
なお、以下の説明で使用する「前後左右」は、紐とじ紙バッグ１を正面部１１側から見て規定したものである。
【００３０】
背面部１２には、底部１５から第１マチ部１３および第２マチ部１４の前後方向の幅の１／２の距離だけ離れた位置に、左右方向に全幅にわたって延びる折り目２１が形成されている。
【００３１】
第１マチ部１３には、折り目２２が形成されている。折り目２２は、開口１６側の端縁の中央から底部１５に向けて延び、背面部１２の折り目２１と同じ高さの位置で２つに分岐して、各分岐した部分が底部１５の角に向けて延びる逆Ｙ字状をなしている。
【００３２】
第２マチ部１４には、折り目２３が形成されている。折り目２３は、開口１６側の端縁の中央から底部１５に向けて延び、背面部１２の折り目２１と同じ高さの位置で２つに分岐して、各分岐した部分が底部１５の角に向けて延びる逆Ｙ字状をなしている。
【００３３】
第１マチ部１３および第２マチ部１４をそれぞれ折り目２２，２３に沿って谷折りするとともに、背面部１２を折り目２１に沿って谷折りすることにより、角底袋２を正面部１１、背面部１２および底部１５が重なるように折り畳むことができる。
【００３４】
第１紐３および第２紐４は、たとえば、同じ太さのスピンドル紐からなる。
【００３５】
図３は、角底袋２の開口１６側の端部を示す斜視図である。図４は、紐とじ紙バッグ１の開口１６側の端部を示す正面図である。
【００３６】
正面部１１には、開口１６側の端部に、第１挿通孔３１および第２挿通孔３２が左右方向に間隔を空けて穿設されている。また、正面部１１には、第１挿通孔３１および第２挿通孔３２に対してそれぞれ左側および右側（幅方向の外側）に間隔を空けて、第１係止孔３３および第２係止孔３４が穿設されている。第１係止孔３３および第２係止孔３４は、同一の円形状をなし、第１紐３および第２紐４の太さ（径）よりも少し大きい径を有している。第１挿通孔３１および第２挿通孔３２は、同一の円形状をなし、第１係止孔３３および第２係止孔３４よりも大きい径、たとえば、第１紐３および第２紐４の太さの２倍以上の径を有している。
【００３７】
背面部１２には、開口１６側の端部に、第１挿通孔４１および第２挿通孔４２が左右に間隔を空けて穿設されている。第１挿通孔４１および第２挿通孔４２は、角底袋２が折り畳まれた状態で、それぞれ正面部１１の第１挿通孔３１および第２挿通孔３２と重なる位置に形成され、第１挿通孔３１および第２挿通孔３２と同一径の円形状をなしている。また、背面部１２には、第１挿通孔４１および第２挿通孔４２に対してそれぞれ左側および右側に間隔を空けて、第１係止孔４３および第２係止孔４４が穿設されている。第１係止孔４３および第２係止孔４４は、角底袋２が折り畳まれた状態で、それぞれ正面部１１の第１係止孔３３および第２係止孔３４と重なる位置に形成され、第１係止孔３３および第２係止孔３４と同一径の円形状をなしている。
【００３８】
第１マチ部１３には、開口１６側の端部に、第１中間孔５１および第２中間孔５２が穿設されている。第１中間孔５１および第２中間孔５２は、図４に示されるように、折り目２２からそれぞれ前側および後側に等間隔を空けた位置であって、角底袋２が折り畳まれた状態で、互いに重なり合い、かつ、正面部１１の第１挿通孔３１および背面部１２の第１挿通孔４１と重なる位置に形成され、第１挿通孔３１，４１よりも大きい径を有する円形状をなしている。
【００３９】
第２マチ部１４には、図３に示されるように、開口１６側の端部に、第１中間孔６１および第２中間孔６２が穿設されている。第１中間孔６１および第２中間孔６２は、折り目２３からそれぞれ前側および後側に等間隔を空けた位置であって、図４に示されるように、角底袋２が折り畳まれた状態で、互いに重なり合い、かつ、正面部１１の第２挿通孔３２および背面部１２の第２挿通孔４２と重なる位置に形成され、第１マチ部１３の第１中間孔５１および第２中間孔５２と同一の円形状をなしている。
【００４０】
第１紐３は、図１に示されるように、角底袋２の開口１６側の端縁を跨ぐことなく、その一端側が角底袋２の外側から正面部１１の第１挿通孔３１、第１マチ部１３の第１中間孔５１および第２中間孔５２、ならびに背面部１２の第１挿通孔４１および第１係止孔４３にこの順に挿通され、他端側が角底袋２の外側から正面部１１の第２挿通孔３２、第２マチ部１４の第１中間孔６１および第２中間孔６２、ならびに背面部１２の第２挿通孔４２および第２係止孔４４にこの順に挿通されている。そして、第１紐３の一端部および他端部は、結び目が作られることにより、それぞれ背面部１２の第１係止孔４３および第２係止孔４４からの抜け止め形状７１，７２を有している。
【００４１】
なお、抜け止め形状７１，７２は、結び目によるものに限らず、第１係止孔４３および第２係止孔４４の径よりも長く延びたピンにより構成されてもよい。
【００４２】
第２紐４は、角底袋２の開口１６側の端縁を跨ぐことなく、その一端側が角底袋２の外側から背面部１２の第１挿通孔４１、第１マチ部１３の第２中間孔５２および第１中間孔５１、ならびに正面部１１の第１挿通孔３１および第１係止孔３３にこの順に挿通され、他端側が角底袋２の外側から背面部１２の第２挿通孔４２、第２マチ部１４の第２中間孔６２および第１中間孔６１、ならびに正面部１１の第２挿通孔３２および第２係止孔３４にこの順に挿通されている。そして、第２紐４の一端部および他端部は、結び目が作られることにより、それぞれ正面部１１の第１係止孔３３および第２係止孔３４からの抜け止め形状８１，８２を有している。
【００４３】
なお、抜け止め形状８１，８２は、結び目によるものに限らず、第１係止孔３３および第２係止孔３４の径よりも長く延びたピンにより構成されてもよい。
【００４４】
以上の構成によれば、第１紐３における正面部１１の第１挿通孔３１と第２挿通孔３２との間に跨がる部分が外側に引き出されると、第１紐３により、背面部１２の第１挿通孔４１と第１係止孔４３との間の部分および第２挿通孔４２と第２係止孔４４との間の部分が正面部１１側に引き寄せられる。また、第２紐４における背面部１２の第１挿通孔４１と第２挿通孔４２との間に跨がる部分が外側に引き出されると、第２紐４により、正面部１１の第１挿通孔３１と第１係止孔３３との間の部分および第２挿通孔３２と第２係止孔３４との間の部分が背面部１２側に引き寄せられる。その結果、正面部１１の開口１６側の端縁と背面部１２の開口１６側の端縁とが近接しつつ、第１マチ部１３および第２マチ部１４の開口１６側の端部がそれぞれ折り目２２，２３に沿って折れ、開口１６が閉じられる。これにより、テープを用いることなく、開口１６を閉じることができる。
【００４５】
一方、開口１６が開かれる際には、正面部１１および背面部１２の各開口１６側の端部が外側に移動される。この正面部１１および背面部１２の移動に伴って、正面部１１と背面部１２との間で折り重なっていた第１マチ部１３および第２マチ部１４が開き、第１マチ部１３および第２マチ部１４における折り目２２，２３の部分が外側に移動する。第１マチ部１３には、第１中間孔５１および第２中間孔５２が形成され、第２マチ部１４には、第１中間孔６１および第２中間孔６２が形成され、その第１中間孔５１，６１および第２中間孔５２，６２には、第１紐３および第２紐４が通されているので、第１マチ部１３および第２マチ部１４における折り目２２，２３の部分が外側に移動すると、その移動に伴って、第１紐３および第２紐４の各々における第１中間孔５１と第２中間孔５２との間に跨がる部分および第１中間孔６１と第２中間孔６２との間に跨がる部分が外側に移動する。その結果、第１紐３および第２紐４は、図１に示されるように、正面部１１、背面部１２、第１マチ部１３および第２マチ部１４により形成される四角筒状体の周にほぼ沿った状態となる。よって、第１紐３および第２紐４が角底袋２内への物品の出し入れの障害となることを防止できる。
【００４６】
第１マチ部１３の第１中間孔５１および第２中間孔５２は、第１マチ部１３が折り目２２に沿って折り畳まれたときに、互いに重なり合い、かつ、正面部１１の第１挿通孔３１および背面部１２の第１挿通孔４１と重なり、第２マチ部１４の第１中間孔６１および第２中間孔６２は、第２マチ部１４が折り目２３に沿って折り畳まれたときに、互いに重なり合い、かつ、正面部１１の第２挿通孔３２および背面部１２の第２挿通孔４２と重なる。
【００４７】
これにより、角底袋２が折り目２１〜２３に沿って折り畳まれた状態で、第１紐３の一端側を角底袋２の外側から正面部１１の第１挿通孔３１、第１マチ部１３の第１中間孔５１および第２中間孔５２、ならびに背面部１２の第１挿通孔４１にこの順に挿通させることができ、他端側を角底袋２の外側から正面部１１の第２挿通孔３２、第２マチ部１４の第１中間孔６１および第２中間孔６２、ならびに背面部１２の第２挿通孔４２にこの順に挿通させることができる。また、第２紐４の一端側を角底袋２の外側から背面部１２の第１挿通孔４１、第１マチ部１３の第２中間孔５２および第１中間孔５１、ならびに正面部１１の第１挿通孔３１にこの順に挿通させることができ、他端側を角底袋２の外側から背面部１２の第２挿通孔４２、第２マチ部１４の第２中間孔６２および第１中間孔６１、ならびに正面部１１の第２挿通孔３２にこの順に挿通させることができる。よって、紐とじ紙バッグ１の製作に要する手間を軽減することができる。
【００４８】
第１挿通孔３１，４１は、第１係止孔３３，４３よりも大きな径を有し、第１マチ部１３の第１中間孔５１および第２中間孔５２は、第１挿通孔３１，４１よりも大きな径を有している。また、第２挿通孔３２，４２は、第２係止孔３４，４４よりも大きな径を有し、第２マチ部１４の第１中間孔６１および第２中間孔６２は、第２挿通孔３２，４２よりも大きな径を有している。
【００４９】
これにより、開口１６が閉じられる際に、第１中間孔５１，６１および第２中間孔５２，６２の各周縁が第１紐３および第２紐４に摺擦することを抑制でき、その摺擦が第１マチ部１３および第２マチ部１４と第１紐３および第２紐４との相対的な移動の抵抗となることを抑制できる。その結果、開口１６をスムーズに開閉することができる。
【００５０】
また、紐とじ紙バッグ１は、肩掛け式の紙バッグとしても、手提げ式の紙バッグとしても使用することができる。
【００５１】
紐とじ紙バッグ１を肩掛け式で使用可能なように、第１紐３および第２紐４が長めに設けられている。そのため、図１に示されるように、開口１６が閉じられた状態で、第１紐３における正面部１１の第１挿通孔３１と第２挿通孔３２との間に跨がる部分および第２紐４における背面部１２の第１挿通孔４１と第２挿通孔４２との間に跨がる部分は、当該部分を人が肩に掛けるのに十分な長さを有している。
【００５２】
紐とじ紙バッグ１を手提げ式で使用する場合、開口１６が閉じられた状態から、たとえば、図５に示されるように、第１紐３における背面部１２の第２挿通孔４２と第２係止孔４４との間に跨がる部分３Ａを外側に引き出し、第１紐３における正面部１１の第１挿通孔３１と第２挿通孔３２との間に跨がる部分３Ｂの長さを手提げに適した長さに調節する。そして、第２紐４における正面部１１の第２挿通孔３２と第２係止孔３４との間に跨がる部分４Ａを外側に少し引き出し、第１紐３の部分３Ａを正面部１１と第２紐４の部分４Ａとの間に通す。その後、第２紐４における背面部１２の第１挿通孔４１と第２挿通孔４２との間に跨がる部分４Ｂを外側に引き戻すと、第１紐３の部分３Ａが第２紐４の部分４Ａにより正面部１１に押しつけられ、第１紐３の状態が固定される。同様に、第２紐４における正面部１１の第１挿通孔３１と第１係止孔３３との間に跨がる部分４Ｃを外側に引き出し、第２紐４の部分４Ｂの長さを第１紐３の部分３Ａの長さと同じ長さに調節する。そして、第１紐３における背面部１２の第１挿通孔４１と第１係止孔４３との間に跨がる部分を外側に少し引き出し、第２紐４の部分４Ｃを背面部１２とその少し引き出した部分との間に通す。その後、第１紐３における部分３Ｂを引き戻すと、第２紐４の状態が固定される。これにより、開口１６が閉じられた状態を強固に維持することができながら、紐とじ紙バッグ１を手提げで持ち運ぶことができる。
【００５３】
また、図６に示されるように、第２紐４における背面部１２の第１挿通孔４１と第２挿通孔４２との間に跨がる部分が直線状に延びるまで、第２紐４における正面部１１の第２挿通孔３２と第２係止孔３４との間に跨がる部分を外側に引き出して、その引き出した部分と第１紐３における正面部１１の第１挿通孔３１と第２挿通孔３２との間に跨がる部分とを結ぶことにより、紐とじ紙バッグ１をプレゼント用の包装箱として用い、第１紐３および第２紐４をその装飾に利用することができる。
【００５４】
さらにまた、第２紐４における背面部１２の第１挿通孔４１と第２挿通孔４２との間に跨がる部分が直線状に延びるまで、第２紐４における正面部１１の第２挿通孔３２と第２係止孔３４との間に跨がる部分を外側に引き出し、第１紐３のみを人の肩に掛けて、紐とじ紙バッグ１を持ち運ぶこともできる。
【００５５】
また、第１紐３における正面部１１の第１挿通孔３１と第２挿通孔３２との間に跨がる部分が直線状に延びるまで、第１紐３における背面部１２の第２挿通孔４２と第２係止孔４４との間に跨がる部分を外側に引き出し、第２紐４における背面部１２の第１挿通孔４１と第２挿通孔４２との間に跨がる部分が直線状に延びるまで、第２紐４における正面部１１の第２挿通孔３２と第２係止孔３４との間に跨がる部分を外側に引き出して、それらの引き出した部分を結ぶことにより、開口１６が閉じられた状態を強固に維持することもできる。
【００５６】
以上、本発明の一実施形態について説明したが、本発明は、他の形態で実施することもできる。
【００５７】
たとえば、第１係止孔３３および第２係止孔３４は、それぞれ第１挿通孔３１の左側および第２挿通孔３２の右側に間隔を空けて穿設されているとしたが、これに限らず、第１係止孔３３は、第１挿通孔３１に対してその右側、上側または下側に間隔を空けて形成されていてもよいし、第２係止孔３４は、第２挿通孔３２に対してその左側、上側または下側に間隔を空けて形成されていてもよい。同様に、第１係止孔４３および第２係止孔４４は、それぞれ第１挿通孔４１の左側および第２挿通孔４２の右側に間隔を空けて穿設されているとしたが、これに限らず、第１係止孔４３は、第１挿通孔４１に対してその右側、上側または下側に間隔を空けて形成されていてもよいし、第２係止孔４４は、第２挿通孔４２に対してその左側、上側または下側に間隔を空けて形成されていてもよい。
【００５８】
また、第１挿通孔３１，４１、第２挿通孔３２，４２、第１係止孔３３，４３、第２係止孔３４，４４、第１中間孔５１，６１および第２中間孔５２，６２は、円形状に限らず、円形状以外の形状をなしていてもよい。たとえば、第１係止孔３３，４３および第２係止孔３４，４４は、円形状に限らず、第１係止孔３３および第２係止孔３４よりも大きい長径（たとえば、第１紐３および第２紐４の太さの２倍以上の長径）を有する楕円形状など、第１紐３および第２紐４の両方を挿抜可能なサイズの孔であればよい。
【００５９】
第１紐３および第２紐４は、スピンドル紐に限らず、たとえば、平布紐などの布紐であってもよい。
【００６０】
また、第１紐３における正面部１１の第１挿通孔３１と第２挿通孔３２との間に跨がる部分および／または第２紐４における背面部１２の第１挿通孔４１と第２挿通孔４２との間に跨がる部分に、ビニールチューブなどの可撓性を有する樹脂チューブが外嵌されてもよい。これにより、人が当該樹脂チューブを把持または肩に掛けたときに、手または肩に力が集中して付与されることを抑制でき、手や肩が痛くなることを抑制できる。
【００６１】
正面部１１、背面部１２、第１マチ部１３および第２マチ部１４の開口１６側の端部が角底袋２の内側に折り返されていてもよい。この場合、正面部１１および背面部１２の折り返された部分の内側に、厚紙などの力紙（口ボール）が配置されてもよい。力紙は、その両端部が第１係止孔３３，４３および第２係止孔３４，４４よりも外側まで延びていることが好ましい。これにより、開口１６が閉じられる際に、正面部１１および背面部１２の開口１６側の各端部の変形を抑制することができ、開口１６を一層良好に閉じることができる。また、第１紐３および第２紐４から第１係止孔３３，４３および第２係止孔３４，４４の周縁に加わる力による、当該周縁の変形を抑制することができる。
【００６２】
その他、前述の構成には、特許請求の範囲に記載された事項の範囲で種々の設計変更を施すことが可能である。
【符号の説明】
【００６３】
１    紙バッグ
２    角底袋
３    第１紐
４    第２紐
１１  正面部
１２  背面部
１３  第１マチ部
１４  第２マチ部
１５  底部
１６  開口
２２  折り目
２３  折り目
３１  第１挿通孔
３２  第２挿通孔
３３  第１係止孔
３４  第２係止孔
４１  第１挿通孔
４２  第２挿通孔
４３  第１係止孔
４４  第２係止孔
５１  第１中間孔
５２  第２中間孔
６１  第１中間孔
６２  第２中間孔
７１  抜け止め形状
７２  抜け止め形状
８１  抜け止め形状
８２  抜け止め形状
【図１】
2015204954.tif 000003
【図２】
2015204954.tif 000004
【図３】
2015204954.tif 000005
【図４】
2015204954.tif 000006
【図５】
2015204954.tif 000007
【図６】
2015204954.tif 000008
【図７】
2015204954.tif 000009